(57)【要約】【課題】本発明は付箋を開示した。【解決手段】本体を含み、前記本体の頂端には取り外し可能の蓋が設けられ、前記蓋の中には抜き穴が設けられ、前記本体の中には紙を貯蔵できる紙貯蔵チャンバが設けられ、前記紙貯蔵チャンバの中にはスライドできる上板が設けられ、前記紙貯蔵チャンバの中には上板を上げることができる上げ装置が設けられ、本発明は構造が簡単で、操作が便利であり、また糊と付箋とを分けて保存し、付箋の保存全体性を保持し、また使用する時に糊を付箋に塗ることができ、付箋の粘性を保証し、従って、当装置は比較的に高い使用価値と普及価値を備える。【選択図】図１
2020179658.tif 000002
【特許請求の範囲】
【請求項１】
正面視で、本体を含み、前記本体の頂端には取り外し可能の蓋が設けられ、前記蓋の中には抜き穴が設けられ、前記本体の中には紙を貯蔵できる紙貯蔵チャンバが設けられ、前記紙貯蔵チャンバの中にはスライドできる上板が設けられ、前記紙貯蔵チャンバの中には上板を上げることができる上げ装置が設けられ、前記紙貯蔵チャンバの右壁の中にはカムチャンバが設けられ、前記カムチャンバの中には紙を送り出すことができる紙送り出し装置が設けられ、前記カムチャンバの頂壁の中には塗りチャンバが設けられ、前記塗りチャンバの左壁の中には伝動チャンバが設けられ、前記塗りチャンバの右壁の中には送り出しチャンバが設けられ、前記カムチャンバの底壁の中にはベルトチャンバが設けられ、前記塗りチャンバの中には粘着力の弱い糊を紙に塗り付ける塗り装置が設けられ、前記ベルトチャンバの底壁の中にはメインチャンバが設けられ、前記メインチャンバの中には動力装置が設けられ、前記動力装置は前記メインチャンバの中に設けられたモーターを含み、前記モーターの中には前記モーターと伝動できるように連結された動力軸が設けられ、前記動力軸の外壁には前記メインチャンバの中に位置している駆動歯車が設けられ、前記動力軸の外壁には前記メインチャンバの中に位置している減速ウォームが設けられ、前記動力軸の頂端には前記送り出しチャンバの中に位置している前傘歯車が設けられ、前記動力軸の外壁には前記ベルトチャンバの中に位置している正プーリーが設けられ、
前記動力装置は前記紙送り出し装置により書き終わった付箋を送り出すことができ、また前記塗り装置により糊を付箋に塗ることができ、使用者の貼りに便利であることを特徴とする付箋。
【請求項２】
前記上げ装置は前記紙貯蔵チャンバの中に設けられた下板を含み、前記下板と前記上板との間には第一バネが弾性的に設けられ、前記紙貯蔵チャンバの底壁の中には上げチャンバが設けられ、前記上げチャンバの中には左右に対称的なねじロッドが設けられ、前記ねじロッドと前記下板との間がねじ山により連結され、左右の前記ねじロッドの間が同期ベルトにより動力が伝達できるように伝動され、右側の前記ねじロッドの底端には副歯車が設けられ、前記メインチャンバの中には縦軸が設けられ、前記縦軸の底端には前記上げチャンバの中に位置しており、且つ前記副歯車と噛合する正歯車が設けられ、前記縦軸の頂端には入力傘歯車が設けられ、前記縦軸の外壁には前記メインチャンバの中に位置している従動歯車が設けられ、前記従動歯車と前記駆動歯車との間には伝動歯車が伝動できるように設けられ、前記メインチャンバの中には伝動軸が設けられ、前記伝動軸の後端には前記減速ウォームと噛合する減速ウォームホイールが設けられ、前記伝動軸の前端には出力傘歯車が設けられ、前記メインチャンバの中には横軸が設けられ、前記横軸の右端には前記出力傘歯車と噛合する右傘歯車が設けられ、前記横軸の左端には前記入力傘歯車と噛合する左傘歯車が設けられ、
前記上げ装置は紙をゆっくりと頂端まで送ることができることを特徴とする請求項１に記載の付箋。
【請求項３】
前記紙送り出し装置は前記抜き穴の中にスライドできるように設けられた押圧ブロックを含み、前記押圧ブロックの底端には押圧ロールが回転できるように設けられ、前記押圧ブロックと前記抜き穴との間には押圧バネが弾性的に設けられ、前記抜き穴の中には第一回転軸が設けられ、前記第一回転軸の後端には送りロールが設けられ、前記第一回転軸の前端には従動傘歯車が設けられ、前記抜き穴の中には内軸が設けられ、前記内軸の左端には前記従動傘歯車と噛合する駆動傘歯車が設けられ、前記伝動チャンバの中には外軸が設けられ、前記外軸と前記内軸との間がスプラインにより連結され、前記外軸の右端には副傘歯車が設けられ、前記伝動チャンバの中には第二回転軸が設けられ、前記第二回転軸の前端には前記副傘歯車と噛合する上傘歯車が設けられ、前記第二回転軸の後端には上ロールが設けられ、前記第二回転軸の外壁には上プーリーが設けられ、前記伝動チャンバの中には第三回転軸が設けられ、前記第三回転軸の前端には下傘歯車が設けられ、前記第三回転軸の後端には下ロールが設けられ、前記第三回転軸の外壁には下プーリーが設けられ、前記下プーリーと前記上プーリーとの間には第一ベルトが伝動できるように設けられ、前記カムチャンバの中には左軸が設けられ、前記左軸の頂端には前記伝動チャンバの中に位置しており、且つ前記下傘歯車と噛合する正傘歯車が設けられ、前記左軸の外壁には塗りウォームが設けられ、前記左軸の底端には前記ベルトチャンバの中に位置している副プーリーが設けられ、前記副プーリーと前記正プーリーとの間には第二ベルトが伝動できるように設けられ、前記送り出しチャンバの中には第四回転軸が設けられ、前記第四回転軸の前端には前記前傘歯車と噛合する後傘歯車が設けられ、前記第四回転軸の後端には出しロールが設けられ、前記送り出しチャンバの中には同期ロールが設けられ、
前記紙送り出し装置は紙を一枚ずつ単独に送り出すことができることを特徴とする請求項１に記載の付箋。
【請求項４】
前記塗り装置は前記塗りチャンバの中にスライドできるように設けられた塗りブラシを含み、前記カムチャンバの中には押し板がスライドできるように設けられ、前記押し板と前記塗りブラシとの間が連結ロッドにより固定的に連結され、前記押し板と前記カムチャンバの頂壁との間には復帰バネが弾性的に設けられ、前記カムチャンバの中には従動軸が設けられ、前記従動軸の後端には前記押し板と接触できるカムが設けられ、前記従動軸の前端には右プーリーが設けられ、前記カムチャンバの中には駆動軸が設けられ、前記駆動軸の後端には前記塗りウォームと噛合する塗りウォームホイールが設けられ、前記駆動軸の前端には左プーリーが設けられ、前記左プーリーと前記右プーリーとの間には第三ベルトが伝動できるように設けられ、
前記塗り装置は糊を送り出された紙の尾端に塗ることができ、使用者の貼りに便利であることを特徴とする請求項１に記載の付箋。
【発明の詳細な説明】
【技術分野】
【０００１】
本発明は事務文房具分野を取り上げて、具体的には付箋である。
【背景技術】
【０００２】
付箋は背面に粘性を持つメモ用紙であり、事務や生活の小さな事を記録することに非常に適し、しかし付箋の背面の粘性が比較的に弱く、保存されている時に分離し、粘着の効果を失いやすく、従って、全体性が強く、粘着効果を保持できる付箋を設計する。
【先行技術文献】
【特許文献】
【０００３】
【特許文献１】中国特許出願公開第１０７９３３１３４号明細書
【発明の概要】
【発明が解決しようとする課題】
【０００４】
本発明の目的は付箋を提供し、それは上記の現在の技術中の問題を解決できる。
【課題を解決するための手段】
【０００５】
本発明の付箋は、本体を含み、前記本体の頂端には取り外し可能の蓋が設けられ、前記蓋の中には抜き穴が設けられ、前記本体の中には紙を貯蔵できる紙貯蔵チャンバが設けられ、前記紙貯蔵チャンバの中にはスライドできる上板が設けられ、前記紙貯蔵チャンバの中には上板を上げることができる上げ装置が設けられ、前記紙貯蔵チャンバの右壁の中にはカムチャンバが設けられ、前記カムチャンバの中には紙を送り出すことができる紙送り出し装置が設けられ、前記カムチャンバの頂壁の中には塗りチャンバが設けられ、前記塗りチャンバの左壁の中には伝動チャンバが設けられ、前記塗りチャンバの右壁の中には送り出しチャンバが設けられ、前記カムチャンバの底壁の中にはベルトチャンバが設けられ、前記塗りチャンバの中には粘着力の弱い糊を紙に塗り付ける塗り装置が設けられ、前記ベルトチャンバの底壁の中にはメインチャンバが設けられ、前記メインチャンバの中には動力装置が設けられ、前記動力装置は前記メインチャンバの中に設けられたモーターを含み、前記モーターの中には前記モーターと伝動できるように連結された動力軸が設けられ、前記動力軸の外壁には前記メインチャンバの中に位置している駆動歯車が設けられ、前記動力軸の外壁には前記メインチャンバの中に位置している減速ウォームが設けられ、前記動力軸の頂端には前記送り出しチャンバの中に位置している前傘歯車が設けられ、前記動力軸の外壁には前記ベルトチャンバの中に位置している正プーリーが設けられ、
前記動力装置は前記紙送り出し装置により書き終わった付箋を送り出すことができ、また前記塗り装置により糊を付箋に塗ることができ、使用者の貼りに便利である。
【０００６】
優選の技術プランとして、前記上げ装置は前記紙貯蔵チャンバの中に設けられた下板を含み、前記下板と前記上板との間には第一バネが弾性的に設けられ、前記紙貯蔵チャンバの底壁の中には上げチャンバが設けられ、前記上げチャンバの中には左右に対称的なねじロッドが設けられ、前記ねじロッドと前記下板との間がねじ山により連結され、左右の前記ねじロッドの間が同期ベルトにより動力が伝達できるように伝動され、右側の前記ねじロッドの底端には副歯車が設けられ、前記メインチャンバの中には縦軸が設けられ、前記縦軸の底端には前記上げチャンバの中に位置しており、且つ前記副歯車と噛合する正歯車が設けられ、前記縦軸の頂端には入力傘歯車が設けられ、前記縦軸の外壁には前記メインチャンバの中に位置している従動歯車が設けられ、前記従動歯車と前記駆動歯車との間には伝動歯車が伝動できるように設けられ、前記メインチャンバの中には伝動軸が設けられ、前記伝動軸の後端には前記減速ウォームと噛合する減速ウォームホイールが設けられ、前記伝動軸の前端には出力傘歯車が設けられ、前記メインチャンバの中には横軸が設けられ、前記横軸の右端には前記出力傘歯車と噛合する右傘歯車が設けられ、前記横軸の左端には前記入力傘歯車と噛合する左傘歯車が設けられ、
前記上げ装置は紙をゆっくりと頂端まで送ることができる。
【０００７】
優選の技術プランとして、前記紙送り出し装置は前記抜き穴の中にスライドできるように設けられた押圧ブロックを含み、前記押圧ブロックの底端には押圧ロールが回転できるように設けられ、前記押圧ブロックと前記抜き穴との間には押圧バネが弾性的に設けられ、前記抜き穴の中には第一回転軸が設けられ、前記第一回転軸の後端には送りロールが設けられ、前記第一回転軸の前端には従動傘歯車が設けられ、前記抜き穴の中には内軸が設けられ、前記内軸の左端には前記従動傘歯車と噛合する駆動傘歯車が設けられ、前記伝動チャンバの中には外軸が設けられ、前記外軸と前記内軸との間がスプラインにより連結され、前記外軸の右端には副傘歯車が設けられ、前記伝動チャンバの中には第二回転軸が設けられ、前記第二回転軸の前端には前記副傘歯車と噛合する上傘歯車が設けられ、前記第二回転軸の後端には上ロールが設けられ、前記第二回転軸の外壁には上プーリーが設けられ、前記伝動チャンバの中には第三回転軸が設けられ、前記第三回転軸の前端には下傘歯車が設けられ、前記第三回転軸の後端には下ロールが設けられ、前記第三回転軸の外壁には下プーリーが設けられ、前記下プーリーと前記上プーリーとの間には第一ベルトが伝動できるように設けられ、前記カムチャンバの中には左軸が設けられ、前記左軸の頂端には前記伝動チャンバの中に位置しており、且つ前記下傘歯車と噛合する正傘歯車が設けられ、前記左軸の外壁には塗りウォームが設けられ、前記左軸の底端には前記ベルトチャンバの中に位置している副プーリーが設けられ、前記副プーリーと前記正プーリーとの間には第二ベルトが伝動できるように設けられ、前記送り出しチャンバの中には第四回転軸が設けられ、前記第四回転軸の前端には前記前傘歯車と噛合する後傘歯車が設けられ、前記第四回転軸の後端には出しロールが設けられ、前記送り出しチャンバの中には同期ロールが設けられ、
前記紙送り出し装置は紙を一枚ずつ単独に送り出すことができる。
【０００８】
優選の技術プランとして、前記塗り装置は前記塗りチャンバの中にスライドできるように設けられた塗りブラシを含み、前記カムチャンバの中には押し板がスライドできるように設けられ、前記押し板と前記塗りブラシとの間が連結ロッドにより固定的に連結され、前記押し板と前記カムチャンバの頂壁との間には復帰バネが弾性的に設けられ、前記カムチャンバの中には従動軸が設けられ、前記従動軸の後端には前記押し板と接触できるカムが設けられ、前記従動軸の前端には右プーリーが設けられ、前記カムチャンバの中には駆動軸が設けられ、前記駆動軸の後端には前記塗りウォームと噛合する塗りウォームホイールが設けられ、前記駆動軸の前端には左プーリーが設けられ、前記左プーリーと前記右プーリーとの間には第三ベルトが伝動できるように設けられ、
前記塗り装置は糊を送り出された紙の尾端に塗ることができ、使用者の貼りに便利である。
【発明の効果】
【０００９】
本発明は構造が簡単で、操作が便利であり、また糊と付箋とを分けて保存し、付箋の保存全体性を保持し、また使用する時に糊を付箋に塗ることができ、付箋の粘性を保証し、従って、当装置は比較的に高い使用価値と普及価値を備える。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の付箋の全体構成略図
【図２】図２は図１のＡ―Ａの構成略図
【図３】図３は図１のＢの構成略図
【図４】図４は図１のＣの構成略図
【発明を実施するための形態】
【００１２】
図１〜４に示したように、本発明の付箋は、本体１６を含み、前記本体１６の頂端には取り外し可能の蓋１３が設けられ、前記蓋１３の中には抜き穴８２が設けられ、前記本体１６の中には紙を貯蔵できる紙貯蔵チャンバ１７が設けられ、前記紙貯蔵チャンバ１７の中にはスライドできる上板１８が設けられ、前記紙貯蔵チャンバ１７の中には上板１８を上げることができる上げ装置１００が設けられ、前記紙貯蔵チャンバ１７の右壁の中にはカムチャンバ２６が設けられ、前記カムチャンバ２６の中には紙を送り出すことができる紙送り出し装置２００が設けられ、前記カムチャンバ２６の頂壁の中には塗りチャンバ６６が設けられ、前記塗りチャンバ６６の左壁の中には伝動チャンバ４８が設けられ、前記塗りチャンバ６６の右壁の中には送り出しチャンバ８３が設けられ、前記カムチャンバ２６の底壁の中にはベルトチャンバ５４が設けられ、前記塗りチャンバ６６の中には粘着力の弱い糊を紙に塗り付ける塗り装置３００が設けられ、前記ベルトチャンバ５４の底壁の中にはメインチャンバ７４が設けられ、前記メインチャンバ７４の中には動力装置４００が設けられ、前記動力装置４００は前記メインチャンバ７４の中に設けられたモーター３０を含み、前記モーター３０の中には前記モーター３０と伝動できるように連結された動力軸２５が設けられ、前記動力軸２５の外壁には前記メインチャンバ７４の中に位置している駆動歯車７３が設けられ、前記動力軸２５の外壁には前記メインチャンバ７４の中に位置している減速ウォーム６８が設けられ、前記動力軸２５の頂端には前記送り出しチャンバ８３の中に位置している前傘歯車６２が設けられ、前記動力軸２５の外壁には前記ベルトチャンバ５４の中に位置している正プーリー５５が設けられ、
前記動力装置４００は前記紙送り出し装置２００により書き終わった付箋を送り出すことができ、また前記塗り装置３００により糊を付箋に塗ることができ、使用者の貼りに便利である。
【００１３】
有益的には、前記上げ装置１００は前記紙貯蔵チャンバ１７の中に設けられた下板２０を含み、前記下板２０と前記上板１８との間には第一バネ１９が弾性的に設けられ、前記紙貯蔵チャンバ１７の底壁の中には上げチャンバ７８が設けられ、前記上げチャンバ７８の中には左右に対称的なねじロッド２７が設けられ、前記ねじロッド２７と前記下板２０との間がねじ山により連結され、左右の前記ねじロッド２７の間が同期ベルト２１により動力が伝達できるように伝動され、右側の前記ねじロッド２７の底端には副歯車７９が設けられ、前記メインチャンバ７４の中には縦軸２９が設けられ、前記縦軸２９の底端には前記上げチャンバ７８の中に位置しており、且つ前記副歯車７９と噛合する正歯車８０が設けられ、前記縦軸２９の頂端には入力傘歯車７６が設けられ、前記縦軸２９の外壁には前記メインチャンバ７４の中に位置している従動歯車７７が設けられ、前記従動歯車７７と前記駆動歯車７３との間には伝動歯車８１が伝動できるように設けられ、前記メインチャンバ７４の中には伝動軸７１が設けられ、前記伝動軸７１の後端には前記減速ウォーム６８と噛合する減速ウォームホイール６９が設けられ、前記伝動軸７１の前端には出力傘歯車７０が設けられ、前記メインチャンバ７４の中には横軸２８が設けられ、前記横軸２８の右端には前記出力傘歯車７０と噛合する右傘歯車７２が設けられ、前記横軸２８の左端には前記入力傘歯車７６と噛合する左傘歯車７５が設けられ、
前記上げ装置１００は紙をゆっくりと頂端まで送ることができる。
【００１４】
有益的には、前記紙送り出し装置２００は前記抜き穴８２の中にスライドできるように設けられた押圧ブロック１４を含み、前記押圧ブロック１４の底端には押圧ロール１５が回転できるように設けられ、前記押圧ブロック１４と前記抜き穴８２との間には押圧バネ１１が弾性的に設けられ、前記抜き穴８２の中には第一回転軸３３が設けられ、前記第一回転軸３３の後端には送りロール３１が設けられ、前記第一回転軸３３の前端には従動傘歯車３２が設けられ、前記抜き穴８２の中には内軸３５が設けられ、前記内軸３５の左端には前記従動傘歯車３２と噛合する駆動傘歯車３４が設けられ、前記伝動チャンバ４８の中には外軸３６が設けられ、前記外軸３６と前記内軸３５との間がスプラインにより連結され、前記外軸３６の右端には副傘歯車３７が設けられ、前記伝動チャンバ４８の中には第二回転軸３８が設けられ、前記第二回転軸３８の前端には前記副傘歯車３７と噛合する上傘歯車３９が設けられ、前記第二回転軸３８の後端には上ロール４１が設けられ、前記第二回転軸３８の外壁には上プーリー４０が設けられ、前記伝動チャンバ４８の中には第三回転軸４６が設けられ、前記第三回転軸４６の前端には下傘歯車４５が設けられ、前記第三回転軸４６の後端には下ロール４３が設けられ、前記第三回転軸４６の外壁には下プーリー４４が設けられ、前記下プーリー４４と前記上プーリー４０との間には第一ベルト４２が伝動できるように設けられ、前記カムチャンバ２６の中には左軸２３が設けられ、前記左軸２３の頂端には前記伝動チャンバ４８の中に位置しており、且つ前記下傘歯車４５と噛合する正傘歯車４７が設けられ、前記左軸２３の外壁には塗りウォーム４９が設けられ、前記左軸２３の底端には前記ベルトチャンバ５４の中に位置している副プーリー５３が設けられ、前記副プーリー５３と前記正プーリー５５との間には第二ベルト５６が伝動できるように設けられ、前記送り出しチャンバ８３の中には第四回転軸６４が設けられ、前記第四回転軸６４の前端には前記前傘歯車６２と噛合する後傘歯車６３が設けられ、前記第四回転軸６４の後端には出しロール６５が設けられ、前記送り出しチャンバ８３の中には同期ロール６７が設けられ、
前記紙送り出し装置２００は紙を一枚ずつ単独に送り出すことができる。
【００１５】
有益的には、前記塗り装置３００は前記塗りチャンバ６６の中にスライドできるように設けられた塗りブラシ２２を含み、前記カムチャンバ２６の中には押し板６１がスライドできるように設けられ、前記押し板６１と前記塗りブラシ２２との間が連結ロッド９９により固定的に連結され、前記押し板６１と前記カムチャンバ２６の頂壁との間には復帰バネ２４が弾性的に設けられ、前記カムチャンバ２６の中には従動軸５８が設けられ、前記従動軸５８の後端には前記押し板６１と接触できるカム５９が設けられ、前記従動軸５８の前端には右プーリー５７が設けられ、前記カムチャンバ２６の中には駆動軸５２が設けられ、前記駆動軸５２の後端には前記塗りウォーム４９と噛合する塗りウォームホイール５０が設けられ、前記駆動軸５２の前端には左プーリー５１が設けられ、前記左プーリー５１と前記右プーリー５７との間には第三ベルト６０が伝動できるように設けられ、
前記塗り装置３００は糊を送り出された紙の尾端に塗ることができ、使用者の貼りに便利である。
【００１６】
本発明設備を使用する時、使用者が付箋に書き終わった後、モーター３０が始動し、且つ動力軸２５により駆動歯車７３と、減速ウォーム６８と、正プーリー５５と、前傘歯車６２とを回転連動させ、これにより正プーリー５５が副プーリー５３と、左軸２３と、正傘歯車４７と、下傘歯車４５と、第三回転軸４６とにより下ロール４３を回転連動させ、同時に、第三回転軸４６が下プーリー４４と、上プーリー４０と、第二回転軸３８とにより上ロール４１を回転連動させ、同時に、第二回転軸３８が上傘歯車３９と、副傘歯車３７と、外軸３６と、内軸３５と、駆動傘歯車３４と、従動傘歯車３２と、第一回転軸３３とにより送りロール３１を回転連動させ、同時に、前傘歯車６２が後傘歯車６３と、第四回転軸６４とにより出しロール６５を回転連動させて紙を送り出し、同時に、左軸２３が塗りウォーム４９と、塗りウォームホイール５０と、駆動軸５２と、左プーリー５１と、右プーリー５７と、従動軸５８とによりカム５９を回転連動させ、カム５９と押し板６１とが接触した後、カム５９が押し板６１と、連結ロッド９９とにより塗りブラシ２２を上にスライド連動させ、糊を紙に塗り、同時に、減速ウォーム６８が減速ウォームホイール６９と、伝動軸７１と、出力傘歯車７０と、右傘歯車７２と、横軸２８と、左傘歯車７５と、入力傘歯車７６と、縦軸２９と、正歯車８０と、副歯車７９と、ねじロッド２７とにより下板２０を上にスライド連動させ、これにより上板１８を上にスライド連動させ、紙をゆっくりと上げ、紙を全部送り出した後に、モーター３０が逆方向に作動し、且つ動力軸２５と、駆動歯車７３と、伝動歯車８１と、従動歯車７７と、縦軸２９と、正歯車８０と、副歯車７９と、ねじロッド２７と、下板２０とにより上板１８を下にスライド連動させる。
【００１７】
本発明の有益効果は：本発明は構造が簡単で、操作が便利であり、また糊と付箋とを分けて保存し、付箋の保存全体性を保持し、また使用する時に糊を付箋に塗ることができ、付箋の粘性を保証し、従って、当装置は比較的に高い使用価値と普及価値を備える。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179658.tif 000003
【図２】
2020179658.tif 000004
【図３】
2020179658.tif 000005
【図４】
2020179658.tif 000006
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の頂端には取り外し可能の蓋が設けられ、前記蓋の中には抜き穴が設けられ、前記本体の中には紙を貯蔵できる紙貯蔵チャンバが設けられ、前記紙貯蔵チャンバの中にはスライドできる上板が設けられ、前記紙貯蔵チャンバの中には上板を上げることができる上げ装置が設けられ、前記紙貯蔵チャンバの右壁の中にはカムチャンバが設けられ、前記カムチャンバの中には紙を送り出すことができる紙送り出し装置が設けられ、前記カムチャンバの頂壁の中には塗りチャンバが設けられ、前記塗りチャンバの左壁の中には伝動チャンバが設けられ、前記塗りチャンバの右壁の中には送り出しチャンバが設けられ、前記カムチャンバの底壁の中にはベルトチャンバが設けられ、前記塗りチャンバの中には粘着力の弱い糊を紙に塗り付ける塗り装置が設けられ、前記ベルトチャンバの底壁の中にはメインチャンバが設けられ、前記メインチャンバの中には動力装置が設けられ、前記動力装置は前記メインチャンバの中に設けられたモーターを含み、前記モーターの中には前記モーターと伝動できるように連結された動力軸が設けられ、前記動力軸の外壁には前記メインチャンバの中に位置している駆動歯車が設けられ、前記動力軸の外壁には前記メインチャンバの中に位置している減速ウォームが設けられ、前記動力軸の頂端には前記送り出しチャンバの中に位置している前傘歯車が設けられ、前記動力軸の外壁には前記ベルトチャンバの中に位置している正プーリーが設けられ、
前記動力装置は前記紙送り出し装置により書き終わった付箋を送り出すことができ、また前記塗り装置により糊を付箋に塗ることができ、使用者の貼りに便利であることを特徴とする付箋収納設備。
【請求項２】
前記上げ装置は前記紙貯蔵チャンバの中に設けられた下板を含み、前記下板と前記上板との間には第一バネが弾性的に設けられ、前記紙貯蔵チャンバの底壁の中には上げチャンバが設けられ、前記上げチャンバの中には左右に対称的なねじロッドが設けられ、前記ねじロッドと前記下板との間がねじ山により連結され、左右の前記ねじロッドの間が同期ベルトにより動力が伝達できるように伝動され、右側の前記ねじロッドの底端には副歯車が設けられ、前記メインチャンバの中には縦軸が設けられ、前記縦軸の底端には前記上げチャンバの中に位置しており、且つ前記副歯車と噛合する正歯車が設けられ、前記縦軸の頂端には入力傘歯車が設けられ、前記縦軸の外壁には前記メインチャンバの中に位置している従動歯車が設けられ、前記従動歯車と前記駆動歯車との間には伝動歯車が伝動できるように設けられ、前記メインチャンバの中には伝動軸が設けられ、前記伝動軸の後端には前記減速ウォームと噛合する減速ウォームホイールが設けられ、前記伝動軸の前端には出力傘歯車が設けられ、前記メインチャンバの中には横軸が設けられ、前記横軸の右端には前記出力傘歯車と噛合する右傘歯車が設けられ、前記横軸の左端には前記入力傘歯車と噛合する左傘歯車が設けられ、
前記上げ装置は紙をゆっくりと頂端まで送ることができることを特徴とする請求項１に記載の付箋収納設備。
【請求項３】
前記紙送り出し装置は前記抜き穴の中にスライドできるように設けられた押圧ブロックを含み、前記押圧ブロックの底端には押圧ロールが回転できるように設けられ、前記押圧ブロックと前記抜き穴との間には押圧バネが弾性的に設けられ、前記抜き穴の中には第一回転軸が設けられ、前記第一回転軸の後端には送りロールが設けられ、前記第一回転軸の前端には従動傘歯車が設けられ、前記抜き穴の中には内軸が設けられ、前記内軸の左端には前記従動傘歯車と噛合する駆動傘歯車が設けられ、前記伝動チャンバの中には外軸が設けられ、前記外軸と前記内軸との間がスプラインにより連結され、前記外軸の右端には副傘歯車が設けられ、前記伝動チャンバの中には第二回転軸が設けられ、前記第二回転軸の前端には前記副傘歯車と噛合する上傘歯車が設けられ、前記第二回転軸の後端には上ロールが設けられ、前記第二回転軸の外壁には上プーリーが設けられ、前記伝動チャンバの中には第三回転軸が設けられ、前記第三回転軸の前端には下傘歯車が設けられ、前記第三回転軸の後端には下ロールが設けられ、前記第三回転軸の外壁には下プーリーが設けられ、前記下プーリーと前記上プーリーとの間には第一ベルトが伝動できるように設けられ、前記カムチャンバの中には左軸が設けられ、前記左軸の頂端には前記伝動チャンバの中に位置しており、且つ前記下傘歯車と噛合する正傘歯車が設けられ、前記左軸の外壁には塗りウォームが設けられ、前記左軸の底端には前記ベルトチャンバの中に位置している副プーリーが設けられ、前記副プーリーと前記正プーリーとの間には第二ベルトが伝動できるように設けられ、前記送り出しチャンバの中には第四回転軸が設けられ、前記第四回転軸の前端には前記前傘歯車と噛合する後傘歯車が設けられ、前記第四回転軸の後端には出しロールが設けられ、前記送り出しチャンバの中には同期ロールが設けられ、
前記紙送り出し装置は紙を一枚ずつ単独に送り出すことができることを特徴とする請求項１に記載の付箋収納設備。
【請求項４】
前記塗り装置は前記塗りチャンバの中にスライドできるように設けられた塗りブラシを含み、前記カムチャンバの中には押し板がスライドできるように設けられ、前記押し板と前記塗りブラシとの間が連結ロッドにより固定的に連結され、前記押し板と前記カムチャンバの頂壁との間には復帰バネが弾性的に設けられ、前記カムチャンバの中には従動軸が設けられ、前記従動軸の後端には前記押し板と接触できるカムが設けられ、前記従動軸の前端には右プーリーが設けられ、前記カムチャンバの中には駆動軸が設けられ、前記駆動軸の後端には前記塗りウォームと噛合する塗りウォームホイールが設けられ、前記駆動軸の前端には左プーリーが設けられ、前記左プーリーと前記右プーリーとの間には第三ベルトが伝動できるように設けられ、
前記塗り装置は糊を送り出された紙の尾端に塗ることができ、使用者の貼りに便利であることを特徴とする請求項１に記載の付箋収納設備。
【手続補正２】
【補正対象書類名】明細書
【補正対象項目名】全文
【補正方法】変更
【補正の内容】
【発明の詳細な説明】
【技術分野】
【０００１】
本発明は事務文房具分野を取り上げて、具体的には付箋収納設備である。
【背景技術】
【０００２】
付箋は背面に粘性を持つメモ用紙であり、事務や生活の小さな事を記録することに非常に適し、しかし付箋の背面の粘性が比較的に弱く、保存されている時に分離し、粘着の効果を失いやすく、従って、全体性が強く、粘着効果を保持できる付箋収納設備を設計する。
【先行技術文献】
【特許文献】
【０００３】
【特許文献１】中国特許出願公開第１０７９３３１３４号明細書
【発明の概要】
【発明が解決しようとする課題】
【０００４】
本発明の目的は付箋収納設備を提供し、それは上記の現在の技術中の問題を解決できる。
【課題を解決するための手段】
【０００５】
本発明の付箋収納設備は、本体を含み、前記本体の頂端には取り外し可能の蓋が設けられ、前記蓋の中には抜き穴が設けられ、前記本体の中には紙を貯蔵できる紙貯蔵チャンバが設けられ、前記紙貯蔵チャンバの中にはスライドできる上板が設けられ、前記紙貯蔵チャンバの中には上板を上げることができる上げ装置が設けられ、前記紙貯蔵チャンバの右壁の中にはカムチャンバが設けられ、前記カムチャンバの中には紙を送り出すことができる紙送り出し装置が設けられ、前記カムチャンバの頂壁の中には塗りチャンバが設けられ、前記塗りチャンバの左壁の中には伝動チャンバが設けられ、前記塗りチャンバの右壁の中には送り出しチャンバが設けられ、前記カムチャンバの底壁の中にはベルトチャンバが設けられ、前記塗りチャンバの中には粘着力の弱い糊を紙に塗り付ける塗り装置が設けられ、前記ベルトチャンバの底壁の中にはメインチャンバが設けられ、前記メインチャンバの中には動力装置が設けられ、前記動力装置は前記メインチャンバの中に設けられたモーターを含み、前記モーターの中には前記モーターと伝動できるように連結された動力軸が設けられ、前記動力軸の外壁には前記メインチャンバの中に位置している駆動歯車が設けられ、前記動力軸の外壁には前記メインチャンバの中に位置している減速ウォームが設けられ、前記動力軸の頂端には前記送り出しチャンバの中に位置している前傘歯車が設けられ、前記動力軸の外壁には前記ベルトチャンバの中に位置している正プーリーが設けられ、
前記動力装置は前記紙送り出し装置により書き終わった付箋を送り出すことができ、また前記塗り装置により糊を付箋に塗ることができ、使用者の貼りに便利である。
【０００６】
優選の技術プランとして、前記上げ装置は前記紙貯蔵チャンバの中に設けられた下板を含み、前記下板と前記上板との間には第一バネが弾性的に設けられ、前記紙貯蔵チャンバの底壁の中には上げチャンバが設けられ、前記上げチャンバの中には左右に対称的なねじロッドが設けられ、前記ねじロッドと前記下板との間がねじ山により連結され、左右の前記ねじロッドの間が同期ベルトにより動力が伝達できるように伝動され、右側の前記ねじロッドの底端には副歯車が設けられ、前記メインチャンバの中には縦軸が設けられ、前記縦軸の底端には前記上げチャンバの中に位置しており、且つ前記副歯車と噛合する正歯車が設けられ、前記縦軸の頂端には入力傘歯車が設けられ、前記縦軸の外壁には前記メインチャンバの中に位置している従動歯車が設けられ、前記従動歯車と前記駆動歯車との間には伝動歯車が伝動できるように設けられ、前記メインチャンバの中には伝動軸が設けられ、前記伝動軸の後端には前記減速ウォームと噛合する減速ウォームホイールが設けられ、前記伝動軸の前端には出力傘歯車が設けられ、前記メインチャンバの中には横軸が設けられ、前記横軸の右端には前記出力傘歯車と噛合する右傘歯車が設けられ、前記横軸の左端には前記入力傘歯車と噛合する左傘歯車が設けられ、
前記上げ装置は紙をゆっくりと頂端まで送ることができる。
【０００７】
優選の技術プランとして、前記紙送り出し装置は前記抜き穴の中にスライドできるように設けられた押圧ブロックを含み、前記押圧ブロックの底端には押圧ロールが回転できるように設けられ、前記押圧ブロックと前記抜き穴との間には押圧バネが弾性的に設けられ、前記抜き穴の中には第一回転軸が設けられ、前記第一回転軸の後端には送りロールが設けられ、前記第一回転軸の前端には従動傘歯車が設けられ、前記抜き穴の中には内軸が設けられ、前記内軸の左端には前記従動傘歯車と噛合する駆動傘歯車が設けられ、前記伝動チャンバの中には外軸が設けられ、前記外軸と前記内軸との間がスプラインにより連結され、前記外軸の右端には副傘歯車が設けられ、前記伝動チャンバの中には第二回転軸が設けられ、前記第二回転軸の前端には前記副傘歯車と噛合する上傘歯車が設けられ、前記第二回転軸の後端には上ロールが設けられ、前記第二回転軸の外壁には上プーリーが設けられ、前記伝動チャンバの中には第三回転軸が設けられ、前記第三回転軸の前端には下傘歯車が設けられ、前記第三回転軸の後端には下ロールが設けられ、前記第三回転軸の外壁には下プーリーが設けられ、前記下プーリーと前記上プーリーとの間には第一ベルトが伝動できるように設けられ、前記カムチャンバの中には左軸が設けられ、前記左軸の頂端には前記伝動チャンバの中に位置しており、且つ前記下傘歯車と噛合する正傘歯車が設けられ、前記左軸の外壁には塗りウォームが設けられ、前記左軸の底端には前記ベルトチャンバの中に位置している副プーリーが設けられ、前記副プーリーと前記正プーリーとの間には第二ベルトが伝動できるように設けられ、前記送り出しチャンバの中には第四回転軸が設けられ、前記第四回転軸の前端には前記前傘歯車と噛合する後傘歯車が設けられ、前記第四回転軸の後端には出しロールが設けられ、前記送り出しチャンバの中には同期ロールが設けられ、
前記紙送り出し装置は紙を一枚ずつ単独に送り出すことができる。
【０００８】
優選の技術プランとして、前記塗り装置は前記塗りチャンバの中にスライドできるように設けられた塗りブラシを含み、前記カムチャンバの中には押し板がスライドできるように設けられ、前記押し板と前記塗りブラシとの間が連結ロッドにより固定的に連結され、前記押し板と前記カムチャンバの頂壁との間には復帰バネが弾性的に設けられ、前記カムチャンバの中には従動軸が設けられ、前記従動軸の後端には前記押し板と接触できるカムが設けられ、前記従動軸の前端には右プーリーが設けられ、前記カムチャンバの中には駆動軸が設けられ、前記駆動軸の後端には前記塗りウォームと噛合する塗りウォームホイールが設けられ、前記駆動軸の前端には左プーリーが設けられ、前記左プーリーと前記右プーリーとの間には第三ベルトが伝動できるように設けられ、
前記塗り装置は糊を送り出された紙の尾端に塗ることができ、使用者の貼りに便利である。
【発明の効果】
【０００９】
本発明は構造が簡単で、操作が便利であり、また糊と付箋とを分けて保存し、付箋の保存全体性を保持し、また使用する時に糊を付箋に塗ることができ、付箋の粘性を保証し、従って、当装置は比較的に高い使用価値と普及価値を備える。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の付箋収納設備の全体構成略図
【図２】図２は図１のＡ―Ａの構成略図
【図３】図３は図１のＢの構成略図
【図４】図４は図１のＣの構成略図
【発明を実施するための形態】
【００１２】
図１〜４に示したように、本発明の付箋収納設備は、本体１６を含み、前記本体１６の頂端には取り外し可能の蓋１３が設けられ、前記蓋１３の中には抜き穴８２が設けられ、前記本体１６の中には紙を貯蔵できる紙貯蔵チャンバ１７が設けられ、前記紙貯蔵チャンバ１７の中にはスライドできる上板１８が設けられ、前記紙貯蔵チャンバ１７の中には上板１８を上げることができる上げ装置１００が設けられ、前記紙貯蔵チャンバ１７の右壁の中にはカムチャンバ２６が設けられ、前記カムチャンバ２６の中には紙を送り出すことができる紙送り出し装置２００が設けられ、前記カムチャンバ２６の頂壁の中には塗りチャンバ６６が設けられ、前記塗りチャンバ６６の左壁の中には伝動チャンバ４８が設けられ、前記塗りチャンバ６６の右壁の中には送り出しチャンバ８３が設けられ、前記カムチャンバ２６の底壁の中にはベルトチャンバ５４が設けられ、前記塗りチャンバ６６の中には粘着力の弱い糊を紙に塗り付ける塗り装置３００が設けられ、前記ベルトチャンバ５４の底壁の中にはメインチャンバ７４が設けられ、前記メインチャンバ７４の中には動力装置４００が設けられ、前記動力装置４００は前記メインチャンバ７４の中に設けられたモーター３０を含み、前記モーター３０の中には前記モーター３０と伝動できるように連結された動力軸２５が設けられ、前記動力軸２５の外壁には前記メインチャンバ７４の中に位置している駆動歯車７３が設けられ、前記動力軸２５の外壁には前記メインチャンバ７４の中に位置している減速ウォーム６８が設けられ、前記動力軸２５の頂端には前記送り出しチャンバ８３の中に位置している前傘歯車６２が設けられ、前記動力軸２５の外壁には前記ベルトチャンバ５４の中に位置している正プーリー５５が設けられ、
前記動力装置４００は前記紙送り出し装置２００により書き終わった付箋を送り出すことができ、また前記塗り装置３００により糊を付箋に塗ることができ、使用者の貼りに便利である。
【００１３】
有益的には、前記上げ装置１００は前記紙貯蔵チャンバ１７の中に設けられた下板２０を含み、前記下板２０と前記上板１８との間には第一バネ１９が弾性的に設けられ、前記紙貯蔵チャンバ１７の底壁の中には上げチャンバ７８が設けられ、前記上げチャンバ７８の中には左右に対称的なねじロッド２７が設けられ、前記ねじロッド２７と前記下板２０との間がねじ山により連結され、左右の前記ねじロッド２７の間が同期ベルト２１により動力が伝達できるように伝動され、右側の前記ねじロッド２７の底端には副歯車７９が設けられ、前記メインチャンバ７４の中には縦軸２９が設けられ、前記縦軸２９の底端には前記上げチャンバ７８の中に位置しており、且つ前記副歯車７９と噛合する正歯車８０が設けられ、前記縦軸２９の頂端には入力傘歯車７６が設けられ、前記縦軸２９の外壁には前記メインチャンバ７４の中に位置している従動歯車７７が設けられ、前記従動歯車７７と前記駆動歯車７３との間には伝動歯車８１が伝動できるように設けられ、前記メインチャンバ７４の中には伝動軸７１が設けられ、前記伝動軸７１の後端には前記減速ウォーム６８と噛合する減速ウォームホイール６９が設けられ、前記伝動軸７１の前端には出力傘歯車７０が設けられ、前記メインチャンバ７４の中には横軸２８が設けられ、前記横軸２８の右端には前記出力傘歯車７０と噛合する右傘歯車７２が設けられ、前記横軸２８の左端には前記入力傘歯車７６と噛合する左傘歯車７５が設けられ、
前記上げ装置１００は紙をゆっくりと頂端まで送ることができる。
【００１４】
有益的には、前記紙送り出し装置２００は前記抜き穴８２の中にスライドできるように設けられた押圧ブロック１４を含み、前記押圧ブロック１４の底端には押圧ロール１５が回転できるように設けられ、前記押圧ブロック１４と前記抜き穴８２との間には押圧バネ１１が弾性的に設けられ、前記抜き穴８２の中には第一回転軸３３が設けられ、前記第一回転軸３３の後端には送りロール３１が設けられ、前記第一回転軸３３の前端には従動傘歯車３２が設けられ、前記抜き穴８２の中には内軸３５が設けられ、前記内軸３５の左端には前記従動傘歯車３２と噛合する駆動傘歯車３４が設けられ、前記伝動チャンバ４８の中には外軸３６が設けられ、前記外軸３６と前記内軸３５との間がスプラインにより連結され、前記外軸３６の右端には副傘歯車３７が設けられ、前記伝動チャンバ４８の中には第二回転軸３８が設けられ、前記第二回転軸３８の前端には前記副傘歯車３７と噛合する上傘歯車３９が設けられ、前記第二回転軸３８の後端には上ロール４１が設けられ、前記第二回転軸３８の外壁には上プーリー４０が設けられ、前記伝動チャンバ４８の中には第三回転軸４６が設けられ、前記第三回転軸４６の前端には下傘歯車４５が設けられ、前記第三回転軸４６の後端には下ロール４３が設けられ、前記第三回転軸４６の外壁には下プーリー４４が設けられ、前記下プーリー４４と前記上プーリー４０との間には第一ベルト４２が伝動できるように設けられ、前記カムチャンバ２６の中には左軸２３が設けられ、前記左軸２３の頂端には前記伝動チャンバ４８の中に位置しており、且つ前記下傘歯車４５と噛合する正傘歯車４７が設けられ、前記左軸２３の外壁には塗りウォーム４９が設けられ、前記左軸２３の底端には前記ベルトチャンバ５４の中に位置している副プーリー５３が設けられ、前記副プーリー５３と前記正プーリー５５との間には第二ベルト５６が伝動できるように設けられ、前記送り出しチャンバ８３の中には第四回転軸６４が設けられ、前記第四回転軸６４の前端には前記前傘歯車６２と噛合する後傘歯車６３が設けられ、前記第四回転軸６４の後端には出しロール６５が設けられ、前記送り出しチャンバ８３の中には同期ロール６７が設けられ、
前記紙送り出し装置２００は紙を一枚ずつ単独に送り出すことができる。
【００１５】
有益的には、前記塗り装置３００は前記塗りチャンバ６６の中にスライドできるように設けられた塗りブラシ２２を含み、前記カムチャンバ２６の中には押し板６１がスライドできるように設けられ、前記押し板６１と前記塗りブラシ２２との間が連結ロッド９９により固定的に連結され、前記押し板６１と前記カムチャンバ２６の頂壁との間には復帰バネ２４が弾性的に設けられ、前記カムチャンバ２６の中には従動軸５８が設けられ、前記従動軸５８の後端には前記押し板６１と接触できるカム５９が設けられ、前記従動軸５８の前端には右プーリー５７が設けられ、前記カムチャンバ２６の中には駆動軸５２が設けられ、前記駆動軸５２の後端には前記塗りウォーム４９と噛合する塗りウォームホイール５０が設けられ、前記駆動軸５２の前端には左プーリー５１が設けられ、前記左プーリー５１と前記右プーリー５７との間には第三ベルト６０が伝動できるように設けられ、
前記塗り装置３００は糊を送り出された紙の尾端に塗ることができ、使用者の貼りに便利である。
【００１６】
本発明設備を使用する時、使用者が付箋に書き終わった後、モーター３０が始動し、且つ動力軸２５により駆動歯車７３と、減速ウォーム６８と、正プーリー５５と、前傘歯車６２とを回転連動させ、これにより正プーリー５５が副プーリー５３と、左軸２３と、正傘歯車４７と、下傘歯車４５と、第三回転軸４６とにより下ロール４３を回転連動させ、同時に、第三回転軸４６が下プーリー４４と、上プーリー４０と、第二回転軸３８とにより上ロール４１を回転連動させ、同時に、第二回転軸３８が上傘歯車３９と、副傘歯車３７と、外軸３６と、内軸３５と、駆動傘歯車３４と、従動傘歯車３２と、第一回転軸３３とにより送りロール３１を回転連動させ、同時に、前傘歯車６２が後傘歯車６３と、第四回転軸６４とにより出しロール６５を回転連動させて紙を送り出し、同時に、左軸２３が塗りウォーム４９と、塗りウォームホイール５０と、駆動軸５２と、左プーリー５１と、右プーリー５７と、従動軸５８とによりカム５９を回転連動させ、カム５９と押し板６１とが接触した後、カム５９が押し板６１と、連結ロッド９９とにより塗りブラシ２２を上にスライド連動させ、糊を紙に塗り、同時に、減速ウォーム６８が減速ウォームホイール６９と、伝動軸７１と、出力傘歯車７０と、右傘歯車７２と、横軸２８と、左傘歯車７５と、入力傘歯車７６と、縦軸２９と、正歯車８０と、副歯車７９と、ねじロッド２７とにより下板２０を上にスライド連動させ、これにより上板１８を上にスライド連動させ、紙をゆっくりと上げ、紙を全部送り出した後に、モーター３０が逆方向に作動し、且つ動力軸２５と、駆動歯車７３と、伝動歯車８１と、従動歯車７７と、縦軸２９と、正歯車８０と、副歯車７９と、ねじロッド２７と、下板２０とにより上板１８を下にスライド連動させる。
【００１７】
本発明の有益効果は：本発明は構造が簡単で、操作が便利であり、また糊と付箋とを分けて保存し、付箋の保存全体性を保持し、また使用する時に糊を付箋に塗ることができ、付箋の粘性を保証し、従って、当装置は比較的に高い使用価値と普及価値を備える。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。